(57)【特許請求の範囲】
【請求項１】
リング状の本体と、
前記リング状の本体に設置される伸縮部と、
前記伸縮部に設置される投射装置と、
を含み、
前記伸縮部は、前記伸縮部が伸長する、または収縮する動作によって前記投射装置を直接オン、またはオフするように構成されており、
前記伸縮部は、順次に嵌め込められる複数の入れ子管を含み、前記複数の入れ子管のうちの第１の入れ子管が前記リング状の本体に固定され、且つ、前記投射装置が前記複数の入れ子管のうちの最後の入れ子管に設置され、
前記投射装置が作動しない場合、前記複数の入れ子管が収められて前記伸縮部が収縮状態になり、前記収縮状態において全ての前記入れ子管が第１の入れ子管の位置に重ねて嵌め込められ、前記伸縮部の長さは一つの前記入れ子管の長さのみによって構成され、
前記投射装置が作動する場合、前記複数の入れ子管が引き出されて前記伸縮部が伸張状態になり、前記伸張状態において前記伸縮部の長さは全ての前記入れ子管の長さの合計と等しい程度まで最大限に伸延することができる投射指輪。
【請求項２】
前記伸縮部の伸縮方向が、前記リング状の本体の中心軸線に沿った方向である請求項１に記載の投射指輪。
【請求項３】
前記投射装置が前記伸縮部に回旋可能に接続される請求項１又は２に記載の投射指輪。
【請求項４】
前記伸縮部が前記リング状の本体に回旋可能に接続される請求項１〜３のいずれか一項に記載の投射指輪。
【請求項５】
前記伸縮部が伸縮アームと伸縮ヘッドとを含み、前記投射装置が前記伸縮ヘッドに設置され、前記伸縮ヘッドが前記伸縮アームにヒンジで接続される請求項１〜４のいずれか一項に記載の投射指輪。
【請求項６】
前記伸縮部は、順次に嵌め込められる複数の入れ子管を含み、前記複数の入れ子管のうちの第１の入れ子管が前記リング状の本体に固定され、且つ、前記投射装置が前記複数の入れ子管のうちの最後の入れ子管に設置される請求項１〜４のいずれか一項に記載の投射指輪。
【請求項７】
前記リング状の本体に設置されるレーザ発生器と、前記リング状の本体又は前記伸縮部に設置されるレーザ検出器とをさらに含む請求項１〜６のいずれか一項に記載の投射指輪。
【請求項８】
前記レーザ発生器が赤外線発生器であり、前記レーザ検出器が赤外線検出器である請求項７に記載の投射指輪。
【請求項９】
前記リング状の本体又は前記伸縮部に設置され、前記レーザ検出器に電気的に接続される信号処理装置をさらに含む請求項７又は８に記載の投射指輪。
【請求項１０】
前記投射装置に電気的に接続される無線モジュールをさらに含む請求項１〜９のいずれか一項に記載の投射指輪。
【発明の詳細な説明】
【技術分野】
【０００１】
本発明は投射指輪に関する。
【背景技術】
【０００２】
現在の人々はますます科学技術に離れないようになり、スマートフォン及びノート型パーソナルコンピュータ、タブレット型パーソナルコンピュータが既に生活の各方面に入り、ハイテク製品が小型化及び知能化に発展している。ウェアラブル製品とは、従来の設備の一部の機能を着用可能な部品に組み合わせるものであり、最大限に人々の肢体を解放して、人体と機器とのより緊密的な結合を実現できる。
【発明の開示】
【発明が解決しようとする課題】
【０００３】
従来、投射装置が指輪に搭載された投射指輪が提供されている。しかし、従来の投射指輪は、投射位置の調整が困難であるため、不便である。
【課題を解決するための手段】
【０００４】
本発明の実施例において、リング状の本体と、前記リング状の本体に設置される伸縮部と、前記伸縮部に設置される投射装置と、を含む投射指輪を提供する。
【０００５】
一例において、前記伸縮部の伸縮方向は前記リング状の本体の中心軸線に沿った方向である。
【０００６】
一例において、前記投射装置は前記伸縮部に回旋可能に接続される。
【０００７】
一例において、前記伸縮部は前記リング状の本体に回旋可能に接続される。
【０００８】
一例において、前記伸縮部は、伸縮アームと伸縮ヘッドとを含み、前記投射装置は前記伸縮ヘッドに設置され、前記伸縮ヘッドは前記伸縮アームにヒンジで接続される。
【０００９】
一例において、前記伸縮部は順次に嵌め込められる複数の入れ子管を含み、前記複数の入れ子管のうちの第１の入れ子管が前記リング状の本体に固定され、前記投射装置が前記複数の入れ子管のうちの最後の入れ子管に設置される。
【００１０】
一例において、前記伸縮部はロールと、ロールケースと、細長い支持帯を含む。例えば、前記ロールが前記ロールケースの中に設置され、前記ロールケースに開口が設けられ、前記支持帯の一端が前記ロールに固着され、前記支持帯の他端に前記投射装置が設置され、前記伸縮部が収縮状態である場合、前記支持帯が前記ロールに巻き付け、前記伸縮部は伸張状態である場合、前記支持帯に設置される前記投射装置の一端が前記ロールケースの開口から突出し、前記支持帯が真直な棹状に伸張する。
【００１１】
一例において、上記投射指輪は、前記リング状の本体に設置されるレーザ発生器と、前記リング状の本体又は前記伸縮部に設置されるレーザ検出器とをさらに含む。例えば、前記レーザ発生器は赤外線発生器であり、前記レーザ検出器は赤外線検出器である。
【００１２】
一例において、上記投射指輪は、前記投射装置に電気的に接続される無線モジュールをさらに含む。
【図面の簡単な説明】
【００１３】
本発明の実施例の技術内容を明確に説明するために、以下、実施例の図面を簡単に説明する。以下の図面が本発明を限定するものではなく、本発明の部分的実施例に係るものだけであることは明らかである。
【図１】本発明の実施例に係る投射指輪の構成の概略図である。
【図２】図１の投射指輪が指に着用された状態の概略図である。
【図３】本発明の実施例に係る他の投射指輪の構成の概略図である。
【図４】本発明の実施例に係る伸縮部が複数の入れ子管を含む投射指輪の構成の概略図である。
【図５】図４の伸縮部が伸張した状態の構成の概略図である。
【図６】図４の伸縮部が収縮した状態の構成の概略図である。
【図７】本発明の実施例に係る他の伸縮部の構成の概略図である。
【図８】図７の伸縮部が収縮した状態の構成の概略図である。
【図９】図７の伸縮部が伸張した状態の構成の概略図である。
【図１０】本発明の実施例に係る他の投射指輪の構成の概略図である。
【発明を実施するための形態】
【００１４】
本発明の実施例の目的、技術案、およびメリットを明確にするために、以下、本発明の実施例の技術案について、本発明の実施例の図面を用いて明確及び十全に説明する。以下の実施例は全部の実施例ではなく、一部の実施例であることは明らかである。当業者が本発明の実施例を基づいて創造的な活動を行うことなく得られる他の実施例も本発明の保護の範囲に含まれる。
【００１５】
図１のように、本発明の実施例において、リング状の本体１と、リング状の本体１に設置される伸縮部２と、伸縮部２に設置される投射装置３と、を含む投射指輪を提供する。
【００１６】
投射装置３は画像を投射するものであり、伸縮部２によって投射装置３の位置を調整でき、これにより投射画面の大きさや投射の角度を調整できる。例えば、図１と図２に示すように、リング状の本体１を指に嵌め、投射装置３を指先に近接させるように伸縮部２が指先の方向に伸張し、投射装置３が掌の方向に映像を投射し、投射スクリーンとして掌に投射装置３から投射される映像を表示し、投射装置３は伸縮部２によって指先により近い位置に調整され、掌における投射の表示面積を拡大するようにすることができる。勿論、投射装置３は手の甲に向け、着用者の対向するテーブルの面やスクリーンに映像を投射することもでき、依然として、投射装置３の位置を調整することによって、投射画面の大きさや投射の角度を調整できる。例えば、着用者は、投射指輪が着用される手をテーブルの表面に置いて、掌をテーブルの表面に向け、且つ拳を握るまた軽く握る状態を保持し、投射装置３を着用者の対向するテーブルの表面やスクリーンに向ける時、指の付け根方向における伸縮部の伸張を制御すれば、着用者が腕や指を移動しなくても、テーブルの表面やスクリーンにおける投射の表示面積を拡大させることができる。
【００１７】
本実施例に係る投射指輪は、伸縮部を設置することによって、投射装置の位置を調整でき、表示効果を向上させるべく投射画面の大きさや投射の角度を便利に調整できる。また、指における投射指輪の着用位置を変更する必要がないため、着用の快適性を確保する。
【００１８】
一例において、投射装置３は伸縮部２に回旋可能に接続され、投射装置を回旋することによって、さらに投射角度を調整できる。
【００１９】
一例において、伸縮部２はリング状の本体１に回旋可能に接続され、伸縮部２を回旋することによって、さらに投射角度を調整できる。
【００２０】
一例において、図３のように、伸縮部２は、伸縮アーム２１と伸縮ヘッド２２とを含み、投射装置３は伸縮ヘッド２２に設置され、伸縮ヘッド２２は伸縮アーム２１にヒンジで接続され、伸縮部２の伸縮ヘッド２２が伸縮アーム２１に対して折り曲げられることによって、さらに投射角度を調整できる。
【００２１】
一例において、図１のように、伸縮部２の伸縮方向はリング状の本体１の中心軸線に沿った方向であり、投射装置３の指の方向における位置調整が便利になる。
【００２２】
一例において、図４と図５に示すように、伸縮部２は、順次に嵌め込められる複数の入れ子管を含み、複数の入れ子管のうちの第１の入れ子管がリング状の本体に固定され、最後の入れ子管に投射装置３が設置されてもよい。投射装置３が作動しない場合、複数の入れ子管が収められ、図６のように、伸縮部２が収縮状態になり、全ての入れ子管が第１の入れ子管の位置に重ねて嵌め込められ、この場合の伸縮部２の長さは一つの入れ子管の長さのみであるため、伸縮部２が占める空間が低減し、投射指輪が指に着用される快適性と美観性を確保する。投射装置３が作動する時、複数の入れ子管が引き出され、図５のように、伸縮部２が伸張状態になり、最大限に伸縮部２の長さが全ての入れ子管の長さの合計と等しい程度まで伸延する。つまり、隣接する二つの入れ子管は、前の入れ子管の末端と後の入れ子管の先端とが接続するだけである。入れ子管を押し込んだり引き出したりすることによって、投射装置３の位置を調整できる。
【００２３】
上述伸縮部は、嵌め込められる入れ子管の以外の他の形態で伸縮を実現してもよい。一例において、図７のように、伸縮部２’はロール２０１と、ロールケース２０２と、細長い支持帯２０３を含み、ロール２０１がロールケース２０２の中に設置され、ロールケース２０２に開口が設置され、この支持帯２０３が一定の柔軟性及び強度を具備し、支持帯２０３の一端がロール２０１に固着され、支持帯２０３の他端に投射装置３が設置される。伸縮部２’は収縮状態である場合、図８のように、支持帯２０３がロール２０１に巻き付ける。伸縮部２’は伸張状態である場合、図９のように、支持帯２０３に設置される投射装置３の一端がロールケース２０２の開口から突出し、支持帯２０３が真直な棹状に伸張する。ロール２０１と、ロールケース２０２と、細長い支持帯２０３を含む上記伸縮部２’が巻尺状の構成であり、支持帯２０３を引き出したり押し込んだりすることによって、投射装置３の位置を調整できる。それ以外に、電動機よりねじ伝動を制御する形態で伸縮部の伸縮運動などを実現してもよい。また、伸縮部によって投射装置の位置を調整すること以外、伸縮部の伸縮動作によって投射装置のスイッチ機能も直接に実現できる。
【００２４】
一例において、上記投射指輪は、図１０のように、リング状の本体１に設置されるレーザ発生器４と、リング状の本体１又は伸縮部２（或いは２’）に設置されるレーザ検出器５とを含む。上述投射装置３と、レーザ発生器４と、レーザ検出器５によりバーチャルキーボード投射検出装置を組み立てる。例えば、投射装置３がキーボードパターンを掌に投射し、レーザ発生器４が掌の面と平行なレーザ、例えば、赤外線を発生し、投射装置３がキーボードパターンを掌に投射する場合、キーボードパターンがある掌に指でキーを押すように操作すると、レーザが指に光点を形成し、レーザ検出器５が指の光点の位置を検出し、投射されたキーボードパターンに対する光点の位置に基づいて、どのキーが押されたのかが分かるようになって、バーチャルキーボードの投射と検出を実現できる（図２参照）。また、上記リング状の本体１また伸縮部２（また２’）に、上記のレーザ検出器５に電気的に接続され、レーザ検出器５より検知されるキーボードパターンに対する光点の投射位置に基づいて、バーチャルキーボードを操作する動作を確定する信号処理装置６が設置されてもよい。勿論、この信号処理装置６は、投射指輪と別に設置され、無線又は有線の形態で投射指輪のレーザ検出器５の信号を受け、バーチャルキーボードを操作する動作を確定するようにこの信号を処理してもよい。このレーザ発生器４は例えば赤外線発生器であり、レーザ検出器５は赤外線検出器であってもよく、赤外線が見えない光であるため、バーチャルキーボードパターンに影響を与えない。
【００２５】
一例において、上記投射指輪は、図１０のように上記投射装置３に電気的に接続される無線モジュール７をさらに含む。例えば、前記無線モジュール７は投射指輪のリング状の本体１に設置され、無線技術によって投射装置と他の装置との接続を実現してもよい。例えば、携帯電話のスクリーンの画像がそのまま掌に出力される。この無線モジュール７は上記レーザ発生器４及びレーザ検出器５に接続されてもよい。例えば、携帯電話の画像の出力及びキーの入力がすべて掌に実現される。有線接続の形態によって投射装置と他の装置との接続を実現してもよいことは当然である。
【００２６】
以上の実施例に係る投射指輪は、伸縮部を設置することによって、投射装置の位置を調整でき、表示効果を向上させるように投射画面の大きさや投射の角度を便利に調整できる。また、指における投射指輪の着用位置を変更する必要がないため、着用の快適性が確保できる。なお、レーザ発生器及びレーザ検出器を付加することにとって、バーチャルキーボードの投射を実現し、画像の出力及びキーの入力を同時に実現する。また、無線モジュールで外部装置との接続を実現し、投射指輪の適用が更に便利になる。
【００２７】
以上説明された内容は本発明の実施形態の一例であり、本発明の保護範囲を限るものではない。本発明の保護範囲は、添付される特許請求の範囲に確定される。
【００２８】
本願は、２０１４年４月２８日に出願した中国特許出願第２０１４２０２１３５４６．０号に基づいて、優先権を主張する。ここに、上記中国特許出願の開示内容を全文として引用する。
【符号の説明】
【００２９】
１  本体
２  伸縮部
２’  伸縮部
３  投射装置
４  レーザ発生器
５  レーザ検出器
６  信号処理装置
７  無線モジュール
２１  伸縮アーム
２２  伸縮ヘッド
２０１  ロール
２０２  ロールケース
２０３  支持帯
【図１】
0006746563.tif 000002
【図２】
0006746563.tif 000003
【図３】
0006746563.tif 000004
【図４】
0006746563.tif 000005
【図５】
0006746563.tif 000006
【図６】
0006746563.tif 000007
【図７】
0006746563.tif 000008
【図８】
0006746563.tif 000009
【図９】
0006746563.tif 000010
【図１０】
0006746563.tif 000011